(57)【要約】      （修正有）【課題】映像出力装置からの映像を表示部に表示することが可能な映像表示装置において、映像出力装置が他の処理によって中断できない期間を有する処理を実行する場合に、処理を実行中である旨をユーザに提示することができる映像表示装置を提供する。【解決手段】映像表示システム１において、タブレット装置２００が電源オフ中などの他の処理によって中断できない期間を有する処理を実行する場合、映像処理部１０３は、タブレット装置２００から入力される映像をディスプレイ３００に出力する。【選択図】図１
2015186139.tif 000002
【特許請求の範囲】
【請求項１】
１つ以上の映像出力装置から出力される映像を表示部に表示することが可能な映像表示装置において、
上記映像出力装置が実行しようとする第１の処理が他の処理によって中断できない期間を有する処理であるか否かを判定する判定部と、
上記判定部が、上記第１の処理が他の処理によって中断できない期間を有する処理であると判定した場合、上記映像出力装置から出力される映像を上記表示部に出力する出力部と、
を備えたことを特徴とする映像表示装置。
【請求項２】
上記判定部は、上記第１の処理が他の処理によって中断できない期間を有する処理であると判定した場合、さらに、上記第１の処理と同じトリガーに基づいて上記映像表示装置が実行しようとする第２の処理に要する時間が、上記第１の処理に要する時間より短いか否かを判定し、
上記出力部は、上記判定部が、上記第２の処理に要する時間が、上記第１の処理に要する時間より短いと判定した場合、上記映像出力装置から出力される映像を上記表示部に出力する
ことを特徴とする請求項１に記載の映像表示装置。
【請求項３】
複数の上記映像出力装置が、それぞれ、ほぼ同時に、同じトリガーに基づく上記第１の処理を実行しようとする場合、
上記出力部は、複数の上記映像出力装置のうち、上記第１の処理に最も長い時間を要する映像出力装置から出力される映像を上記表示部に出力する
ことを特徴とする請求項１または２に記載の映像表示装置。
【請求項４】
請求項１から３のいずれか１項に記載の映像表示装置と、
１つ以上の上記映像出力装置と、
を備えたことを特徴とする映像表示システム。
【請求項５】
上記第１の処理のトリガーは、
（ａ）上記映像表示システムの電源をオフまたはオンにするための処理、
（ｂ）上記映像表示システムのプログラムを変更するための処理、および、
（ｃ）上記映像表示システムが備えた記憶装置を検査するための処理、
のうち、少なくともいずれか１つを上記映像表示システムに開始させるイベントである
ことを特徴とする請求項４に記載の映像表示システム。
【発明の詳細な説明】
【技術分野】
【０００１】
本発明は、映像表示装置に関し、特に、１つ以上の映像出力装置から出力される映像を表示部に表示することが可能な映像表示装置等に関する。
【背景技術】
【０００２】
近年、スマートテレビと呼ばれるデジタルテレビが普及し始めている。スマートテレビは、テレビ放送波を受信して、ディスプレイにテレビ番組の映像を出力するテレビジョン受像機に加えて、テレビジョン受像機の拡張機能を実現する拡張機能実現装置を備えている。拡張機能実現装置は、例えば、ネットワークへの接続機能、タッチパネルへのタッチ操作を受け付けるタッチ操作受付機能、あるいは、アプリケーションプログラムの実行機能等の拡張機能を実現する。
【０００３】
テレビ受像機は、テレビ放送波に含まれる映像信号を抽出したり、抽出した映像信号をデコードしたりするための演算処理を行うＣＰＵを備えている。また、拡張機能実現装置も、アプリケーションプログラムを実行したり、タッチ操作の種別を判定したりするための演算処理を行うＣＰＵを備えている。
【０００４】
スマートテレビでは、テレビ受像機のＣＰＵおよび拡張機能実現装置のＣＰＵに安定して電力を供給するために、これらのＣＰＵの電源は独立して制御されている。ディスプレイの電源は、通常、テレビ受像機のＣＰＵが制御する。
【０００５】
スマートテレビの電源をオフにする電源オフ操作が入力されたとき、テレビ受像機のＣＰＵ、拡張機能実現装置のＣＰＵは、それぞれ、テレビ受像機、拡張機能実現装置の機能を停止させる電源オフ処理を実行する。通常、テレビ受像機の電源オフ処理に要する時間（数秒）と比較して、拡張機能実現装置の電源オフ処理に要する時間（シャットダウン状態に遷移する場合、約１０秒）は長い。
【０００６】
ところで、ユーザは、ディスプレイの電源がオフになったとき、スマートテレビ全体の電源オフ処理が完了したと考えて、節電の観点から、スマートテレビから延びる電源ケーブルのプラグをコンセントから外すなどして、スマートテレビへの電源供給を断つ可能性がある。
【０００７】
そのため、拡張機能実現装置の電源オフ処理の実行前または途中に、テレビ受像機のＣＰＵがディスプレイの電源をオフにした場合、拡張機能実現装置の電源オフ処理が完了する前に、ユーザがスマートテレビへの電源供給を断つ可能性がある。
【０００８】
そこで、従来のスマートテレビの電源オフ処理では、テレビ受像機のＣＰＵは、拡張機能実現装置の電源オフ処理が完了した後で、テレビ受像機の電源オフ処理を実行するとともに、ディスプレイの電源をオフにする。
【０００９】
図１２に、従来の電源オフ処理におけるテレビジョン受像機（のＣＰＵ）および拡張機能実現装置（のＣＰＵ）の動作のシーケンスを示す。
【００１０】
図１２に示すように、テレビジョン受像機のＣＰＵは、電源オフ操作を受け付けたとき、まず、拡張機能実現装置のＣＰＵに対して、電源オフ処理を実行するように要求する。
【００１１】
テレビジョン受像機のＣＰＵからの要求を受けた拡張機能実現装置のＣＰＵは、拡張機能実現装置の電源オフ処理を開始する。電源オフ処理は、中断することができない処理である。そのため、拡張機能実現装置は、電源オフ処理を実行している間、他の処理（例えば、ユーザの操作に応じた処理）によるインタラプトを受け付けない状態になる。拡張機能実現装置のＣＰＵは、拡張機能実現装置の電源オフ処理が終わった後、電源オフ処理が完了した旨を、テレビジョン受像機のＣＰＵに通知する。
【００１２】
テレビジョン受像機のＣＰＵは、拡張機能実現装置のＣＰＵから、拡張機能実現装置の電源オフ処理が完了した旨の通知を受けた後、テレビジョン受像機の電源オフ処理を実行する。テレビジョン受像機は、拡張機能実現装置の電源オフ処理が実行されている間、他の処理によるインタラプトを受け付けない状態になる。
【００１３】
ここで、テレビジョン受像機のＣＰＵは、テレビジョン受像機の電源オフ処理が完了した後は、何の処理も実行することができないので、テレビジョン受像機の電源オフ処理の前または途中に、ディスプレイの電源をオフにする。このように、テレビジョン受像機のＣＰＵと、拡張機能実現装置のＣＰＵとが同期して、あたかも一体の機器のＣＰＵであるかのように振舞う。
【００１４】
なお、参考として、複数のＣＰＵが同期する構成が開示された特許文献１を提示する。
【先行技術文献】
【特許文献】
【００１５】
【特許文献１】特開２０１１−１２３６８８号公報（２０１１年６月２３日公開）
【発明の概要】
【発明が解決しようとする課題】
【００１６】
しかしながら、上述した従来のスマートテレビの電源オフ処理では、拡張機能実現装置の電源オフ処理が完了するまで、ディスプレイの電源はオンのままである。
【００１７】
従って、テレビジョン受像機のＣＰＵが電源オフ操作を受け付けた後、ディスプレイの電源がオンであり、かつ、拡張機能実現装置が操作を受け付けない期間が存在する。この期間、ユーザは、スマートテレビ内で処理が実行されているのか否かが分からないことにストレスを感じる。特に、拡張機能実現装置の電源オフ処理に要する時間が長い場合、スマートテレビ全体の電源オフ処理に要する時間は、テレビ受像機単体の電源オフ処理に要する時間と比べて長くなるので、ユーザに非常に大きなストレスが掛かるという問題がある。
【００１８】
本発明は、上記に鑑みてなされたものであり、その目的は、映像出力装置の処理と関連した処理を実行する映像表示装置において、映像出力装置が他の処理によって中断できない期間を有する処理を実行する場合に、処理を実行中である旨をユーザに提示することができる映像表示装置等を提供することにある。
【課題を解決するための手段】
【００１９】
上記の課題を解決するために、本発明の一態様に係る映像表示装置は、１つ以上の映像出力装置から出力される映像を表示部に表示することが可能な映像表示装置において、上記映像出力装置が実行しようとする第１の処理が他の処理によって中断できない期間を有する処理であるか否かを判定する判定部と、上記判定部が、上記第１の処理が他の処理によって中断できない期間を有する処理であると判定した場合、上記映像出力装置から出力される映像を上記表示部に出力する出力部と、を備えている。
【発明の効果】
【００２０】
本発明の一態様によれば、映像出力装置の処理と関連した処理を実行する映像表示装置において、映像出力装置が他の処理によって中断できない期間を有する処理を実行する場合に、処理を実行中である旨をユーザに提示することができるため、ユーザビリティが改善されるという効果を奏する。
【図面の簡単な説明】
【００２１】
【図１】実施形態１に係る映像表示システムのハードウェア構成を示すブロック図である。
【図２】実施形態１に係る映像表示システムが備えたテレビ装置およびタブレット装置が実行する電源オフ処理の流れを示すフローチャートである。
【図３】実施形態１に係る電源オフ処理におけるテレビ装置およびタブレット装置の動作のシーケンス図である。
【図４】（ａ）〜（ｃ）は、実施形態１に係る映像表示システムが備えたディスプレイの画面を示す図であり、図２に示す電源オフ処理におけるディスプレイの画面遷移を示す図である。
【図５】実施形態１の変形例に係る電源オフ処理におけるテレビ装置およびタブレット装置の動作のシーケンス図である。
【図６】実施形態２において、テレビ装置およびタブレット装置が実行する電源オフ処理の流れを示すフローチャートである。
【図７】実施形態３に係る映像表示システムのハードウェア構成を示すブロック図である。
【図８】実施形態３に係る起動処理におけるテレビ装置およびタブレット装置の動作のシーケンス図である。
【図９】実施形態３において、タブレット装置が生成するタブレット側映像の一例を示す図である。
【図１０】実施形態４に係る映像表示システムのハードウェア構成を示すブロック図である。
【図１１】実施形態４に係る映像表示システムが備えたＣＰＵ（Ａ）、ＣＰＵ（Ｂ）、およびＣＰＵ（Ｃ）が実行する電源オフ処理における各ＣＰＵの動作のシーケンス図である。
【図１２】従来のテレビジョン受像機および拡張機能実現装置が実行する電源オフ処理のシーケンス図である。
【発明を実施するための形態】
【００２２】
〔実施形態１〕
以下、本発明の実施の形態について、図１〜図５を用いて詳細に説明する。
【００２３】
［映像表示システム１の構成］
図１を用いて、本実施形態に係る映像表示システム１の構成を説明する。図１は、映像表示システム１のハードウェア構成を示すブロック図である。
【００２４】
図１に示すとおり、映像表示システム１は、テレビ装置１００（映像表示装置）、タブレット装置２００（映像出力装置）、モニタあるいはディスプレイ３００（表示部）、および、タッチパネル４００を備えている。
【００２５】
テレビ装置１００は、アンテナ（図示せず）を介して、テレビ放送波を受信する。そして、受信したテレビ放送波から、テレビ番組等のトランスポートストリーム（ＴＳ）を抽出し、そのＴＳに含まれる映像信号をディスプレイ３００に出力する。例えば、テレビ装置１００は、ディスプレイ３００に対して、ＬＶＤＳ（Low Voltage Differential Signaling）の方式で、映像信号を出力してもよい。あるいは、テレビ装置１００とディスプレイ３００とは、ＨＤＭＩ（登録商標）（High Definition Multimedia Interface）およびコネクタを介して接続されていてよい。
【００２６】
また、テレビ装置１００は、外部装置（図示せず）およびタブレット装置２００から、映像信号を受信して、受信した映像信号をディスプレイ３００に出力することもできる。テレビ装置１００と、外部装置およびタブレット装置２００とは、それぞれ、ＨＤＭＩ（登録商標）およびコネクタを介して接続されていてよい。
【００２７】
映像表示システム１のデフォルトの設定では、テレビ装置１００は、ディスプレイ３００の電源制御権を有しており、ディスプレイ３００の電源（オン・オフ）を制御することができる。また、テレビ装置１００は、タブレット装置２００に対して、ディスプレイ３００の電源を制御するように依頼することができる。
【００２８】
タブレット装置２００は、タッチパネル４００から、タッチ面におけるタッチ位置に関する情報（タッチ情報）を取得する。タブレット装置２００は、取得したタッチ情報を用いて、ディスプレイ３００に表示された映像のどこがタッチされたかを判定するとともに、タッチ操作の種別（シングルタップ、ダブルタップ、フリック、ドラッグアンドドロップ、ピンチイン、ピンチアウトなど）も判定する。そして、判定結果に基づいて生成される映像信号を、テレビ装置１００に送信する。なお、タブレット装置２００が送信する映像信号は、タブレット装置２００に実装されたアプリケーションが生成してもよい。
【００２９】
タブレット装置２００は、テレビ装置１００の筐体に着脱することができるように構成されていてもよい。この構成では、ユーザは、テレビ装置１００からタブレット装置２００を取り外して、別のタブレット装置に容易に取り換えることができる。
【００３０】
また、タブレット装置２００には、テレビ装置１００の拡張機能を実現するアプリケーションプログラムが実装されていてもよい。このようなアプリケーションの例として、ブラウザアプリケーションおよび文書編集アプリケーションを挙げることができる。
【００３１】
テレビ装置１００とタブレット装置２００とは、通信部５００を介して、これらの間で通信することができるように構成されている。テレビ装置１００からタブレット装置２００へ、またはその逆方向の通信データは、ＴＣＰ／ＩＰ（Transmission Control Protocol/Internet Protocol）に従って送受信されてよい。また、テレビ装置１００とタブレット装置２００との接続には、ＣＥＣ（Consumer Electronics Control）の技術が採用されてもよい。通信部５００は、ＵＡＲＴ（Universal Asynchronous Receiver Transmitter）による通信経路であってもよい。この構成では、テレビ装置１００とタブレット装置２００とは、ＵＡＲＴと、ＵＳＢ（Universal Serial Bus）等のシリアルバスとを介して、接続されていてもよい。
【００３２】
ディスプレイ３００は、例えば、ＬＣＤ（液晶ディスプレイ）である。ディスプレイ３００の画面上には、タッチパネル４００が配置されている。
【００３３】
タッチパネル４００は、ユーザの指等の指示体が接触するタッチ面と、タッチ面上における指示体のタッチ位置を検出するタッチセンサとで構成されている。タッチセンサは、指示体とタッチ面との接触を検出することができるならば、どのような種類のセンサであってもよい。タッチセンサは、例えば、圧力センサ、静電容量センサ、光センサなどであってよい。
【００３４】
［テレビ装置１００］
以下では、テレビ装置１００が、テレビ放送波および外部装置から受信する映像信号をテレビ側映像信号と呼び、タブレット装置２００から受信する映像信号をタブレット側映像信号と呼ぶ。また、テレビ装置１００がディスプレイ３００に表示する映像のうち、テレビ側映像信号に対応する映像をテレビ側映像と呼び、タブレット側映像信号に対応する映像をタブレット側映像と呼ぶ。
【００３５】
図１を用いて、テレビ装置１００の詳細を説明する。図１に示すように、テレビ装置１００は、テレビ放送波受信部１０１、外部映像受信部１０２、映像処理部１０３（出力部）、表示モード情報送信部１０４、テレビ側電源オフ処理部１０５（判定部）、およびディスプレイ電源制御部を備えている。
【００３６】
テレビ放送波受信部１０１は、アンテナから入力されたテレビ放送波から、予め設定された（または、ユーザに選択された）チャンネルのＴＳを抽出し、そのＴＳに含まれる映像信号をデコードする。そして、デコードされた映像信号を、映像処理部１０３に出力する。なお、テレビ放送波受信部１０１は、映像処理部１０３と同じ基板上に実装されていてもよいし、あるいは、映像処理部１０３とは別の基板に実装されており、無線通信によって、映像信号を映像処理部１０３に出力してもよい。
【００３７】
なお、テレビ放送波から抽出されたＴＳには、映像信号の他に、音声信号、および、（字幕情報、または、ＢＭＬ（Broadcast Markup Language）情報などの）データ信号が含まれる場合がある。この場合、テレビ放送波受信部１０１は、ＴＳに含まれる映像信号を分離（ストリーム分離；ＤＥＭＵＸ）した後、分離された映像信号をデコードする。
【００３８】
外部映像受信部１０２は、外部装置（図示せず）から、映像信号（または、映像を含むコンテンツの信号）を受信する。そして、受信した映像信号を映像処理部１０３に出力する。外部装置は、例えば、ＤＶＤレコーダ、またはブルーレイレコーダであってよい。
【００３９】
映像処理部１０３は、タブレット装置２００の映像出力部２０２から、タブレット側映像信号を取得する。また、テレビ放送波受信部１０１および外部映像受信部１０２から、テレビ側映像信号を取得する。
【００４０】
映像処理部１０３は、テレビ側映像信号およびタブレット側映像信号の少なくとも一方をディスプレイ３００に出力する。映像処理部１０３がディスプレイ３００にどの映像信号を出力するかは、表示モードによって決まる。
【００４１】
映像処理部１０３は、３つの表示モードを有する。表示モードは、予め設定されていてもよいし、ユーザに選択されてもよい。
【００４２】
第１の表示モードでは、映像処理部１０３は、ディスプレイ３００に対して、テレビ側映像信号を出力する。なお、テレビ放送波受信部１０１および外部映像受信部１０２から複数のテレビ側映像信号が入力される場合、映像処理部１０３は、設定またはユーザの選択に従って、どちらか一方のテレビ側映像信号をディスプレイ３００に出力する。
【００４３】
第２の表示モードでは、映像処理部１０３は、ディスプレイ３００に対して、タブレット側映像信号を出力する。
【００４４】
第３の表示モードでは、映像処理部１０３は、テレビ側映像信号およびタブレット側映像信号を合成する。具体的には、映像処理部１０３は、ディスプレイ３００の画面を例えば２つに分割して、テレビ側映像信号およびタブレット側映像信号の各々に、１つの分割領域を割り当てる。そして、映像処理部１０３は、映像信号に対してスケーリング処理を実行することによって、各分割領域にそれぞれ１つの映像が表示されるように、映像信号を合成する。あるいは、映像処理部１０３は、テレビ側映像およびタブレット側映像のうちのいずれか一方が表示される映像領域の中に、任意の形状を有する映像領域（小窓）を設け、その映像領域中に、他方の映像を表示してもよい（ＰｉｎＰ、小窓表示）。
【００４５】
映像処理部１０３は、合成された映像信号をディスプレイ３００に出力する。
【００４６】
また、映像処理部１０３は、上述した表示モード情報を表示モード情報送信部１０４に出力する。なお、表示モード情報は、記憶装置（図示せず）に記憶されてもよい。
【００４７】
表示モード情報送信部１０４は、映像処理部１０３から取得した表示モード情報を、情報処理部２０１に送信する。
【００４８】
テレビ側電源オフ処理部１０５は、電源オフ操作（トリガーとなる操作）を受け付けたとき、後述するタブレット側電源オフ処理部２０３に対して、タブレット装置２００の電源オフ処理（第１の処理）を実行するように要求するとともに、テレビ装置１００の電源オフ処理（第２の処理）を実行する。ここで、電源オフ処理とは、テレビ装置１００またはタブレット装置２００の電源をオフにするために実行される処理のことであり、具体的には、テレビ装置１００またはタブレット装置２００の機能を停止させる処理のことである。
【００４９】
あるいは、テレビ側電源オフ処理部１０５ではなく、タブレット装置２００が、電源オフ操作を受け付けてもよい。この構成では、テレビ側電源オフ処理部１０５は、タブレット装置２００から、電源オフ操作を受け付けた旨の通知を受信したとき、タブレット側電源オフ処理部２０３に対して、タブレット装置２００の電源オフ処理を実行するように要求する。
【００５０】
電源オフ操作を受け付けたテレビ側電源オフ処理部１０５は、タブレット装置２００の電源オフ処理の実行期間中に、他の処理（例えば、ユーザの入力操作によって発生する処理）によるインタラプトを受け付けない期間（中断できない期間）が含まれるか否かを判定する。例えば、テレビ側電源オフ処理部１０５は、タブレット装置２００の電源オフ処理の実行中、タブレット装置２００はユーザの操作を受け付けないか否かを判定してもよい。
【００５１】
タブレット装置２００の電源オフ処理の実行期間中に、タブレット装置２００が他の処理によるインタラプトを受け付けない期間が含まれる場合、テレビ側電源オフ処理部１０５は、さらに、タブレット装置２００のオフ時間がテレビ装置１００のオフ時間以下であるか否かを判定する。
【００５２】
言い換えれば、テレビ側電源オフ処理部１０５は、タブレット装置２００の電源オフ処理とテレビ装置１００の電源オフ処理とが同時に開始された場合、タブレット装置２００の電源オフ処理が完了する時刻よりも、テレビ装置１００の電源オフ処理が完了する時刻の方が遅いか否かを判定する。そして、テレビ側電源オフ処理部１０５は、判定結果に応じて、以下のように、テレビ装置１００の電源オフ処理を実行する。
【００５３】
なお、テレビ側電源オフ処理部１０５は、タブレット装置２００の電源オフ処理の実行期間中に、タブレット装置２００が他の処理によるインタラプトを受け付けない期間が含まれると判定した後、タブレット装置２００のオフ時間がテレビ装置１００のオフ時間以下であるか否かを判定することは省略して、以下のように、テレビ装置１００の電源オフ処理を実行してもよい。
【００５４】
タブレット装置２００のオフ時間が、テレビ装置１００のオフ時間を超える場合、テレビ側電源オフ処理部１０５は、映像処理部１０３を、（第２の表示モードでない場合には）第２の表示モードに切り換える。
【００５５】
そして、テレビ側電源オフ処理部１０５は、タブレット装置２００の電源オフ処理が完了するまで待機する。テレビ側電源オフ処理部１０５は、タブレット側電源オフ処理部２０３から、タブレット装置２００のオフ処理が完了した旨の通知を受信する。
【００５６】
タブレット装置２００のオフ処理が完了した旨の通知を受信した後、テレビ側電源オフ処理部１０５は、ディスプレイ３００の電源をオフにするようにディスプレイ電源制御部１０６に指示するとともに、テレビ装置１００の電源オフ処理を実行する。
【００５７】
あるいは、テレビ側電源オフ処理部１０５は、タブレット装置２００の電源オフ処理を実行するようにタブレット側電源オフ処理部２０３に要求したときから、所定の時間が経過した後、テレビ装置１００の電源オフ処理を開始してもよい。
【００５８】
一方、タブレット装置２００のオフ時間が、テレビ装置１００のオフ時間以下である場合、テレビ側電源オフ処理部１０５は、タブレット装置２００の電源オフ処理が完了するまで待たずに、ディスプレイ３００の電源をオフにするようにディスプレイ電源制御部１０６に指示するとともに、テレビ装置１００の電源オフ処理を実行する。
【００５９】
本実施形態では、テレビ側電源オフ処理部１０５は、以下のようにして、タブレット装置２００のオフ時間がテレビ装置１００のオフ時間以下であるか否かを判定する。
【００６０】
ここでは、タブレット装置２００は、電源オフ処理の前後で、起動状態から、スリープ状態またはシャットダウン状態のどちらかに遷移するように設定されているとする。また、タブレット装置２００が起動状態からスリープ状態に遷移するオフ時間（約１秒）は、テレビ装置１００のオフ時間（通常モードでは数秒。クイックモードでは、それ以下。）よりも短いとする。一方、タブレット装置２００が起動状態からシャットダウン状態に遷移するオフ時間（約１０秒）は、テレビ装置１００のオフ時間よりも長いとする。なお、ここで説明するスリープ状態およびシャットダウン状態は単なる一例である。タブレット装置２００は、電源オフ処理の前後で、ある状態から、別の状態へ遷移するように設定されていればよい。また、タブレット装置２００が、電源オフ処理を実行するのに要する時間は、その処理の内容によって異なる。
【００６１】
タブレット装置２００がスリープ状態に遷移するように設定されている場合、テレビ側電源オフ処理部１０５は、タブレット装置２００のオフ時間がテレビ装置１００のオフ時間よりも短いと判定する。そして、タブレット装置２００の電源オフ処理が完了するまで待たずに、テレビ装置１００の電源オフ処理を実行する。
【００６２】
一方、タブレット装置２００がシャットダウン状態に遷移するように設定されている場合、テレビ側電源オフ処理部１０５は、タブレット装置２００のオフ時間がテレビ装置１００のオフ時間よりも長いと判定する。そして、タブレット装置２００の電源オフ処理が完了するまで待って、テレビ装置１００の電源オフ処理を実行する。
【００６３】
あるいは、テレビ側電源オフ処理部１０５の代わりに、タブレット側電源オフ処理部２０３（後述）が、タブレット装置２００のオフ時間がテレビ装置１００のオフ時間以下であるか否かを判定してもよい。この構成では、タブレット側電源オフ処理部２０３が、テレビ側電源オフ処理部１０５に対して、判定結果を通知する。テレビ側電源オフ処理部１０５は、タブレット側電源オフ処理部２０３から通知された判定結果に応じて、上述した処理を実行する。
【００６４】
なお、テレビ側電源オフ処理部１０５は、タブレット装置２００のオフ時間がテレビ装置１００のオフ時間以下であるか否かを比較する構成に限定されない。テレビ側電源オフ処理部１０５は、タブレット装置２００のオフ時間が所定の基準よりも長いか否かを判定する構成であればよい。所定の基準は、例えば１０秒であってもよい。
【００６５】
また、テレビ側電源オフ処理部１０５は、タブレット装置２００が、他の処理によって中断できない期間を有する処理を実行しようとしているか否かを判定する構成であればよい。他の処理によって中断できない期間を有する処理には、電源オフ処理の他に、例えば、タブレット装置２００が備えたプログラムをバージョンアップまたは変更するための処理や、タブレット装置２００が備えた記憶装置（メモリ）に故障または不具合があるか否かを検査（チェック）するための処理が含まれる。
【００６６】
ディスプレイ電源制御部１０６は、テレビ側電源オフ処理部１０５からの指示を受けて、ディスプレイ３００の電源（オンまたはオフ）を制御する。
【００６７】
なお、一変形例において、テレビ装置１００は、ＯＳＤ（On Screen Display）画像をディスプレイ３００に表示してもよい。この変形例では、テレビ装置１００は、図１に示す各部に加えて、ＯＳＤ画像を生成するＯＳＤ生成部をさらに備える。映像処理部１０３は、ＯＳＤ生成部によって生成されたＯＳＤ画像を映像に重畳して、ディスプレイ３００に表示する。
【００６８】
さらに、上記変形例において、テレビ装置１００は、ディスプレイ３００に表示したＯＳＤ画像に対するタッチ操作を受け付ける操作ＵＩ情報受信部を備えていてもよい。この構成では、タッチパネル４００が、テレビ装置１００のＵＩ（User Interface）になる。
【００６９】
ＯＳＤ生成部は、例えば、テレビ番組のチャンネルボタンを並べたＯＳＤ画像を生成する。映像処理部１０３は、ＯＳＤ生成部によって生成されたＯＳＤ画像をディスプレイ３００に表示する。ユーザが、ディスプレイ３００に表示されたチャンネルボタンをタッチ（タッチパネル４００へのタッチ）したとき、このタッチ操作を受け付けたタブレット装置２００は、タッチ情報を操作ＵＩ情報受信部に通知する。操作ＵＩ情報受信部は、タブレット装置２００から通知されたタッチ情報に基づいて、タッチされたチャンネルボタンに対応するチャンネルを特定する。そして、特定したチャンネルをテレビ放送波受信部１０１に通知する。操作ＵＩ情報受信部からの通知を受けたテレビ放送波受信部１０１は、テレビ放送波から抽出するＴＳのチャンネルを切り換える。
【００７０】
上述したテレビ装置１００の各部は、例えば、ＣＰＵ（central processing unit）などが、ＲＯＭ（read only memory）、ＮＶＲＡＭ（non-Volatile random access memory）等で実現された記憶装置（図示せず）に記憶されているプログラムをＲＡＭ（random access memory）等に読み出して実行することで実現される。
【００７１】
［タブレット装置２００］
図１に示すように、タブレット装置２００は、情報処理部２０１、映像出力部２０２、タブレット側電源オフ処理部２０３、およびタッチ情報処理部２０４を含んでいる。
【００７２】
情報処理部２０１は、タブレット装置２００の制御プログラム、ＯＳプログラム、およびアプリケーションプログラムなどの各種プログラムを実行する。これらのプログラムは、記憶装置（図示せず）に記憶されている。情報処理部２０１は、ＬＡＮ（Local Area Network）などのネットワークに無線または有線で接続しており、ネットワークを介して、外部から新たなアプリケーションプログラムを取得することができる。
【００７３】
また、情報処理部２０１は、後述するタッチ情報処理部２０４から入力される補正後のタッチ情報に基づいて、タブレット側映像信号を生成し、生成されたタブレット側映像信号を映像出力部２０２に出力する。
【００７４】
より詳細には、まず、情報処理部２０１は、タッチ情報処理部２０４から、補正後のタッチ情報（タッチ位置）を取得して、タブレット側映像中のどこがタッチされたかを判定する。
【００７５】
次に、情報処理部２０１は、タッチ操作を受けた位置の時系列的な集合（タッチ面上における指示体の移動軌跡を表す）に基づいて、タッチ操作の種別を判定する。ここで、タッチ操作の種別には、シングルタップ、ダブルタップ、フリック、ドラッグアンドドロップ、ピンチイン、ピンチアウトなどが含まれる。
【００７６】
その後、情報処理部２０１は、判定結果に応じた処理を実行して、新たなタブレット側映像信号を生成する。そして、生成された新たなタブレット側映像信号を映像出力部２０２に出力する。
【００７７】
映像出力部２０２は、情報処理部２０１から入力されたタブレット側映像信号を、テレビ装置１００の映像処理部１０３に送信する。
【００７８】
タブレット側電源オフ処理部２０３は、テレビ側電源オフ処理部１０５からの要求に従って、タブレット装置２００の各部の動作をオフにするための電源オフ処理を実行する。また、タブレット側電源オフ処理部２０３は、テレビ側電源オフ処理部１０５に対して、タブレット装置２００の電源オフ処理に要する時間であるオフ時間を通知してもよい。
【００７９】
タッチ情報処理部２０４は、タッチパネル４００からタッチ情報を取得する。また、表示モード情報送信部１０４から、映像処理部１０３の表示モード情報を取得する。
【００８０】
そして、タッチ情報処理部２０４は、タッチ操作が検出されたタッチ面内の位置に基づいて、タッチ操作を受けたタブレット側映像の位置を認識する。また、映像処理部１０３の表示モードに基づいて、タッチ操作が検出されたタッチ面内の位置に対応するタブレット側映像の位置を補正する。タッチ情報処理部２０４は、補正後のタッチ情報（タッチ位置）を情報処理部２０１に出力する。
【００８１】
上述したタブレット装置２００の各部は、例えば、ＣＰＵ（central processing unit）などが、ＲＯＭ（read only memory）、ＮＶＲＡＭ（non-Volatile random access memory）等で実現された記憶装置（図示せず）に記憶されているプログラムをＲＡＭ（random access memory）等に読み出して実行することで実現することができる。
【００８２】
また、タブレット装置２００の各部を実現するハードウェアおよび電気回路は、ＳｏＣ（System-on-a-chip）の方法で、１つのチップに実装されていてもよい。
【００８３】
［電源オフ処理αの流れ］
図２〜図４を用いて、テレビ装置１００およびタブレット装置２００によって実行される電源オフ処理αの流れ（オフシーケンス）を説明する。図２は、電源オフ処理αの流れを示すフローチャートである。図３は、電源オフ処理αにおけるテレビ装置１００およびタブレット装置２００の動作の一例を示すシーケンス図である。図４の（ａ）〜（ｃ）は、電源オフ処理αの進行に伴って遷移するディスプレイ３００の画面例を示す図である。なお、電源オフ処理αのトリガーは、映像表示システム１の電源をオフにするための処理を開始させるイベントであり、具体的にはユーザの電源オフ操作であってよい。
【００８４】
図４の（ａ）は、電源オフ処理αが実行される直前におけるディスプレイ３００の画面例である。同図において、映像処理部１０３は、第１の表示モードであり、テレビ側映像をディスプレイ３００に表示している。
【００８５】
図２に示すように、まず、テレビ側電源オフ処理部１０５は、電源オフ操作を受け付ける（Ｓ１０１０）。
【００８６】
ユーザは、例えば、リモコンなどを用いて電源オフ操作を行ってもよい。この構成では、テレビ装置１００の受信部（図示せず）が、リモコンによる電源オフ操作を受け付けて、電源オフ操作を受けた旨を、テレビ側電源オフ処理部１０５に通知してもよい。あるいは、タブレット装置２００が受信部を備えていてもよい。なお、ステップＳ１０１の後、テレビ側電源オフ処理部１０５は、テレビ装置１００の電源オフ処理の一部を実行してもよい。この構成に関しては、実施形態２で説明する。
【００８７】
次に、テレビ側電源オフ処理部１０５は、タブレット装置２００の電源オフ処理期間中、タブレット装置２００が操作を受け付けないか否かを判定する（Ｓ１０１１）。
【００８８】
タブレット装置２００の電源オフ処理期間中、タブレット装置２００が操作を受け付ける場合（Ｓ１０１１でＮｏ）、映像表示システム１全体の電源オフ処理αが終了する。図４の（ｃ）に示すように、電源オフ処理αが完了した後、ディスプレイ３００は非表示となる。
【００８９】
一方、タブレット装置２００の電源オフ処理期間中、タブレット装置２００が操作を受け付けない場合（Ｓ１０１１でＮｏ）、テレビ側電源オフ処理部１０５は、タブレット側電源オフ処理部２０３に対して、タブレット装置２００の電源オフ操作を受け付けた旨を通知する（図２のＳ１０２、図３のｓｑ１１）。テレビ側電源オフ処理部１０５からの通知を受けたタブレット側電源オフ処理部２０３は、テレビ側電源オフ処理部１０５に対して、通知を確認した旨の報告を送信する（図３のｓｑ１２）。なお、図２のＳ１０２、図３のｓｑ１１に示すステップ、および、図３のｓｑ１２に示すステップは省略されてもよい。
【００９０】
図２に示すように、以後、テレビ装置１００は、ユーザ操作（リモコン等による操作）を受け付けることを停止する（Ｓ１０３）。
【００９１】
次に、テレビ側電源オフ処理部１０５は、タブレット装置２００のオフ時間が、テレビ装置１００のオフ時間以下であるか否かを判定する（Ｓ１０４）。詳細には、テレビ側電源オフ処理部１０５は、タブレット装置２００がスリープ状態に遷移する設定であるか、またはシャットダウン状態に遷移する設定であるかに基づいて、タブレット装置２００のオフ時間がテレビ装置１００のオフ時間以下であるか否かを判定する。判定後、テレビ側電源オフ処理部１０５は、タブレット側電源オフ処理部２０３に対して、タブレット装置２００の電源オフ処理を開始するように指示する（図３のｓｑ１３）。
【００９２】
ステップＳ１０３の後、タブレット側電源オフ処理部２０３は、テレビ側電源オフ処理部１０５の指示に従って、タブレット装置２００の電源オフ処理を実行する（Ｓ２０１）。タブレット側電源オフ処理部２０３がタブレット装置２００の電源オフ処理を実行している間、映像出力部２０２は、電源オフ処理中の映像信号（タブレット装置２００が電源オフ処理中である旨をユーザに通知する「お知らせ」の映像信号）を、映像処理部１０３に出力する（図３のｓｑ１４）。
【００９３】
その後、タブレット側電源オフ処理部２０３は、タブレット装置２００の電源オフ処理を終えたとき、タブレット装置２００の電源オフ処理が完了した旨を、テレビ側電源オフ処理部１０５に通知する（Ｓ２０２）。
【００９４】
図２に示すように、タブレット装置２００のオフ時間が、テレビ装置１００のオフ時間以下である場合（Ｓ１０４でＮｏ）、テレビ側電源オフ処理部１０５は、タブレット装置２００の電源オフ処理が完了することを待たずに、ディスプレイ３００の電源をオフにする（Ｓ１０５）とともに、テレビ装置１００の電源オフ処理を実行する（Ｓ１０６）。
【００９５】
上記の場合、テレビ装置１００の電源オフ処理が完了するまで、映像処理部１０３は第１の表示モードのままである。図４の（ｂ１）に示すように、ディスプレイ３００の電源がオフになるまで、ディスプレイ３００には、テレビ側映像が表示され続ける。あるいは、映像処理部１０３は、テレビ装置１００が電源オフ処理中である旨をユーザに通知する「お知らせ」映像を、ディスプレイ３００に表示してもよい。
【００９６】
以上で、映像表示システム１全体の電源オフ処理αが終了する。図４の（ｃ）に示すように、電源オフ処理αが完了した後、ディスプレイ３００は非表示となる。
【００９７】
一方、ステップＳ１０４において、タブレット装置２００のオフ時間が、テレビ装置１００のオフ時間を超える場合（Ｓ１０４でＮｏ）、テレビ側電源オフ処理部１０５は、映像処理部１０３を、第１の表示モードから第２の表示モードに切り換える。
【００９８】
第２の表示モードとなった映像処理部１０３は、タブレット側映像信号をディスプレイ３００に出力する（Ｓ１０７）。図４の（ｂ２）に示すように、ディスプレイ３００には、タブレット装置２００の電源オフ処理が実行中であることをユーザに通知する「お知らせ」映像が表示される。ユーザは、ディスプレイ３００に表示された「お知らせ」映像を確認することによって、タブレット装置２００の電源オフ処理が実行中であることを知ることができる。
【００９９】
テレビ側電源オフ処理部１０５は、タブレット側電源オフ処理部２０３から、タブレット装置２００の電源オフ処理が完了した旨の通知を受けるまで、テレビ装置１００の電源オフ処理の実行を待つ（テレビ側電源オフ処理部１０５とタブレット側電源オフ処理部２０３との「待ち合わせ」）（Ｓ１０８）。
【０１００】
テレビ側電源オフ処理部１０５は、タブレット側電源オフ処理部２０３から、タブレット装置２００の電源オフ処理が完了した旨を通知された後（図２のＳ２０２、図３のｓｑ１５）、ディスプレイ電源制御部１０６に対して、ディスプレイ３００の電源をオフにするように指示する（Ｓ１０９）とともに、テレビ装置１００の電源オフ処理を実行（あるいは再開）する（Ｓ１１０）。図２のＳ２０２、図３のｓｑ１５に示すステップは省略されてもよい。
【０１０１】
以上で、映像表示システム１全体の電源オフ処理αが終了する。このように、電源オフ処理αにおいて、テレビ側電源オフ処理部１０５の動作と、タブレット側電源オフ処理部２０３の動作とは関連している。
【０１０２】
電源オフ処理αによれば、ＧＵＩ上で、映像表示システム１の機能を停止するための処理が完了したことがユーザに明示される（ディスプレイ３００の電源がオンからオフに変化する）ため、ユーザビリティを改善することができる。
【０１０３】
電源オフ処理αが完了した後、テレビ装置１００は、ユーザの操作を受け付けることを再開する。すなわち、ディスプレイ３００の電源がオフになった後、テレビ装置１００に対して、電源キーが有効になる。以後、ユーザは、電源キーを押下することによって、映像表示システム１を再起動することができる。
【０１０４】
なお、テレビ装置１００は、例えば、赤色および青色のＬＥＤを備え、映像表示システム１が起動中または電源オフ処理αを実行中である間は、青色ＬＥＤを点灯する一方、電源オフ処理αが完了した後は、赤色のＬＥＤを点灯するように構成されていてもよい。
【０１０５】
上記の構成では、ユーザは、点灯しているＬＥＤの色を確認することによって、映像表示システム１を再起動することができるか否かを知ることができる。
【０１０６】
［変形例］
上述した電源オフ処理αでは、映像処理部１０３は、電源オフ処理におけるタブレット装置２００の状態遷移の設定に基づいて、タブレット装置２００のオフ時間がテレビ装置１００のオフ時間以下であるか否かを判定する（図３参照）。
【０１０７】
この電源オフ処理αの一変形例では、映像処理部１０３は、タブレット装置２００のオフ時間を取得し、タブレット装置２００のオフ時間がテレビ装置１００のオフ時間以下であるか否かを、数値的に判定してもよい。
【０１０８】
図５に、本変形例に係る電源オフ処理におけるテレビ装置１００およびタブレット装置２００の動作のシーケンスを概略的に示す。
【０１０９】
図５に示すように、本変形例に係る電源オフ処理では、テレビ側電源オフ処理部１０５が、電源オフ操作を受け付けた旨をタブレット側電源オフ処理部２０３に通知する（ｓｑ１１）。テレビ側電源オフ処理部１０５からの通知を受けたタブレット側電源オフ処理部２０３は、タブレット装置２００の電源オフ処理を実行することが可能である旨の通知とともに、タブレット装置２００のオフ時間をテレビ側電源オフ処理部１０５に送信する（ｓｑ１２´）。
【０１１０】
その後、テレビ側電源オフ処理部１０５は、テレビ装置１００のオフ時間と、タブレット側電源オフ処理部２０３から通知されたタブレット装置のオフ時間との大小関係を比較する。
【０１１１】
図５には、テレビ装置１００のオフ時間がタブレット装置２００のオフ時間を超える場合のシーケンスを示している。同図に示すシーケンスにおいて、テレビ装置１００のオフ時間がタブレット装置２００のオフ時間を超えると映像処理部１０３が判定した後の流れは、上述した電源オフ処理αの流れ（図３参照）と同じである。図５に示すシーケンスにおいて、ｓｑ１５は省略することができる。
【０１１２】
本変形例によれば、映像処理部１０３は、タブレット装置２００のオフ時間がテレビ装置１００のオフ時間以下であるか否かを判定するために、電源オフ処理におけるタブレット装置２００の状態遷移の設定を予め記憶している必要がない。また、タブレット装置２００の正確なオフ時間を取得するので、タブレット装置２００のオフ時間がテレビ装置１００のオフ時間以下であるか否かを正確に判定することができる。
【０１１３】
〔実施形態２〕
本発明の他の実施形態について、図６に基づいて説明すれば、以下のとおりである。なお、説明の便宜上、前記実施形態にて説明した部材と同じ機能を有する部材については、同じ符号を付記し、その説明を省略する。
【０１１４】
前記実施形態１の電源オフ処理αでは、テレビ側電源オフ処理部１０５は、タブレット装置２００の電源オフ処理が完了した後、テレビ装置１００の電源オフ処理を実行する（図２のＳ１０８〜Ｓ１１０参照）。換言すれば、電源オフ処理αでは、タブレット装置２００の電源オフ処理が実行されている間、テレビ装置１００の電源オフ処理は進行しない。そのため、タブレット装置２００の電源オフ処理が開始されてから、テレビ装置１００の電源オフ処理が終了するまでの時間が長くなる。そのため、ユーザは、映像表示システム１全体の電源オフ処理がなかなか完了しないことにストレスを感じる。
【０１１５】
そこで、本実施形態では、タブレット装置２００の電源オフ処理が実行されている間に、テレビ側電源オフ処理部１０５が、テレビ装置１００の電源オフ処理の一部を実行する構成を説明する。
【０１１６】
［電源オフ処理βの流れ］
図６を用いて、本実施形態に係る電源オフ処理βの流れを説明する。図６は、電源オフ処理βの流れを示すフローチャートである。図６に示すフローチャートにおいて、Ｓ１０１〜Ｓ１０６までの流れ、および、Ｓ１０１〜Ｓ１０７までの流れは、前記実施形態１の電源オフ処理αの流れと同じであるから、その説明を省略する。
【０１１７】
図６に示すように、ステップＳ１０７の後、テレビ側電源オフ処理部１０５は、テレビ装置１００の機能のうち、ディスプレイ３００への映像出力およびディスプレイ３００の電源制御のどちらにも関係しない機能を停止する処理を実行する（Ｓ１０８´）。具体的には、テレビ側電源オフ処理部１０５は、図１に示すテレビ装置１００の構成のうち、映像処理部１０３、テレビ側電源オフ処理部１０５、およびディスプレイ電源制御部１０６以外の制御ブロックの動作を停止させる。
【０１１８】
映像処理部１０３は、ステップＳ１０８´の後も、タブレット側映像（図４の（ｂ２）参照）をディスプレイ３００に表示し続ける。
【０１１９】
テレビ側電源オフ処理部１０５は、タブレット側電源オフ処理部２０３から、タブレット装置２００の電源オフ処理が完了した旨の通知を受信したとき、テレビ側電源オフ処理部１０５は、ディスプレイ電源制御部１０６に対して、ディスプレイ３００の電源をオフにするように指示する（Ｓ１０９´）。ディスプレイ電源制御部１０６は、テレビ側電源オフ処理部１０５の指示に従い、ディスプレイ３００の電源をオフにする。
【０１２０】
ここで、ディスプレイ電源制御部１０６は、タブレット装置２００の電源オフ処理が完了した旨の通知をテレビ側電源オフ処理部１０５が受信した時点で、ステップＳ１０８´の処理が完了していなかった場合、その処理が完了するまで待機した後、ディスプレイ３００の電源をオフにする。
【０１２１】
ディスプレイ電源制御部１０６が、ディスプレイ３００の電源をオフにしたのち、テレビ側電源オフ処理部１０５は、テレビ装置１００の残りの電源オフ処理を実行する（Ｓ１１０´）。具体的には、テレビ側電源オフ処理部１０５は、映像処理部１０３およびディスプレイ電源制御部１０６の動作を停止させる。
【０１２２】
以上で、映像表示システム１の電源オフ処理βは終了する。
【０１２３】
本実施形態によれば、タブレット装置２００の電源オフ処理が実行されている間に、テレビ側電源オフ処理部１０５によって、テレビ装置１００の電源オフ処理の一部が実行される。そのため、前記実施形態１の構成と比較して、タブレット装置２００の電源オフ処理が開始されてから、テレビ装置１００の電源オフ処理が終了するまでの時間を短縮することができる。
【０１２４】
〔実施形態３〕
本発明の他の実施形態について、図７〜図９に基づいて説明すれば、以下のとおりである。なお、説明の便宜上、前記実施形態にて説明した部材と同じ機能を有する部材については、同じ符号を付記し、その説明を省略する。
【０１２５】
前記実施形態１および２では、テレビ装置１００およびタブレット装置２００の機能を停止させる電源オフ処理に関して説明した。
【０１２６】
本実施形態では、停止しているテレビ装置１００´およびタブレット装置２００´の機能を起動させる起動処理に関して説明する。
【０１２７】
図７は、本実施形態に係る映像表示システム３のハードウェア構成を示すブロック図である。図７に示すように、映像表示システム３のテレビ装置１００´は、前記実施形態１の映像表示システム１のテレビ装置１００（図１参照）と比較して、テレビ側電源オフ処理部１０５の代わりに、テレビ側起動処理部１０７を備えている。また、映像表示システム３のタブレット装置２００´は、前記実施形態１の映像表示システム１のタブレット装置２００（図１参照）と比較して、タブレット側電源オフ処理部２０３の代わりに、タブレット側起動処理部２０５を備えている。テレビ装置１００´、タブレット装置２００´のその他の構成は、テレビ装置１００、タブレット装置２００の構成と同じである。
【０１２８】
テレビ側起動処理部１０７は、テレビ装置１００´の起動処理を実行する。タブレット側起動処理部２０５は、タブレット装置２００´の起動処理を実行する。
【０１２９】
［起動処理の流れ］
図８を用いて、テレビ装置１００´（のテレビ側起動処理部１０７）およびタブレット装置２００´（のタブレット側起動処理部２０５）が実行する起動処理の流れを説明する。図８は、起動処理におけるテレビ装置１００´およびタブレット装置２００´の動作を示すシーケンス図である。
【０１３０】
図８に示すように、テレビ側起動処理部１０７は、映像表示システム３の電源をオンにする電源オン操作を受け付けたとき、タブレット側起動処理部２０５に対して、タブレット装置２００´の起動処理を実行するように指示する。
【０１３１】
テレビ側起動処理部１０７からの指示を受けたタブレット側起動処理部２０５は、タブレット装置２００´の起動処理を開始する。タブレット側起動処理部２０５がタブレット装置２００´の起動処理を実行している間、映像出力部２０２は、情報処理部２０１が生成するタブレット側映像を、映像処理部１０３に送信する。
【０１３２】
図９に、タブレット装置２００´の起動処理中に情報処理部２０１が生成するタブレット側映像の一例を示す。図９に示すように、情報処理部２０１が生成するタブレット側映像は、「起動処理を実行中である」旨のメッセージを含む映像であってよい。
【０１３３】
テレビ側起動処理部１０７は、テレビ装置１００´の起動処理を開始する。次に、テレビ側起動処理部１０７は、タブレット装置２００´の起動処理が完了する時刻が、テレビ装置１００´の起動処理が完了する時刻より後であるか否かを判定する。なお、テレビ側起動処理部１０７は、実施形態１の変形例と同様に、タブレット装置２００´に対して、電源オン操作を受け付けた旨を通知した後、タブレット装置２００´から、タブレット装置２００´の起動時間を受信してもよい。そして、テレビ装置１００´の起動時間と、受信したタブレット装置２００´の起動時間とを比較してもよい。あるいは、タブレット装置２００´の起動時間は、予めテレビ装置１００´の記憶部（図示せず）に記憶されていてもよい。そして、テレビ側起動処理部１０７は、テレビ装置１００´の記憶部からタブレット装置２００´の記憶時間を取得して、テレビ装置１００´の起動時間と、タブレット装置２００´の起動時間とを比較してもよい。
【０１３４】
タブレット装置２００´の起動処理が完了する時刻が、テレビ装置１００´の起動処理が完了する時刻より後である場合、テレビ側起動処理部１０７は、映像処理部１０３を第２の表示モードに切り換える。第２の表示モードとなった映像処理部１０３は、ディスプレイ３００に対して、映像出力部２０２から入力されたタブレット側映像信号を出力する。
【０１３５】
一方、タブレット装置２００´の起動処理が完了する時刻が、テレビ装置１００´の起動処理が完了する時刻より後でない場合、テレビ側起動処理部１０７は、映像処理部１０３の表示モードを切り換えることはしない。テレビ側起動処理部１０７は、映像処理部１０３がディスプレイ３００に映像信号を出力することが可能になった時点で、映像処理部１０３の表示モードを第２の表示モードに切り換える。第２の表示モードとなった映像処理部１０３は、ディスプレイ３００に対して、「起動処理を実行中である」旨のメッセージを含むタブレット側映像（図９参照）を表示する。
【０１３６】
上記の場合、テレビ装置１００´の起動処理およびタブレット装置２００´の起動処理は、どちらも短時間で完了する。そのため、これらの起動処理が実行されている間、ユーザは、テレビ装置１００´およびタブレット装置２００´がどのような処理を実行しているのかが分からないとしても、そのことにストレスを感じる可能性が低い。
【０１３７】
そのため、上記の場合、映像処理部１０３は、テレビ装置１００´の起動処理およびタブレット装置２００´の起動処理が実行されている間、ディスプレイ３００にタブレット側映像を表示しなくてもよい。あるいは、映像処理部１０３は、ディスプレイ３００に映像を表示しない（黒表示）でもよい。
【０１３８】
なお、テレビ側起動処理部１０７は、テレビ装置１００´の起動処理の途中で、上記の判定を行ってもよい。
【０１３９】
タブレット側起動処理部２０５は、タブレット装置２００´の起動処理を実行した後、タブレット装置２００´の起動処理が完了した旨を、テレビ側起動処理部１０７に通知してもよい。この構成では、テレビ側起動処理部１０７は、タブレット側起動処理部２０５からの通知を受信した後、映像処理部１０３を第２の表示モードを切り換えていた場合、映像処理部１０３を元の表示モードに戻してもよい。
【０１４０】
〔実施形態４〕
本発明の他の実施形態について、図１０〜図１１に基づいて説明すれば、以下のとおりである。なお、説明の便宜上、前記実施形態にて説明した部材と同じ機能を有する部材については、同じ符号を付記し、その説明を省略する。
【０１４１】
前記実施形態１および２では、２つの装置（テレビ装置１００およびタブレット装置２００）を含む映像表示システム１の電源オフ処理αおよびβを説明した。
【０１４２】
本実施形態では、３つの制御ブロック（ＣＰＵ（Ａ）、ＣＰＵ（Ｂ）、およびＣＰＵ（Ｃ））を含む映像表示システム４の電源オフ処理γを説明する。なお、映像表示システム４は、前記実施形態３で説明した起動処理を実行することが可能であってもよい。
【０１４３】
図１０は、本実施形態に係る映像表示システム４のハードウェア構成を示すブロック図である。図１０に示すように、映像表示システム４は、ＣＰＵ（Ａ）（映像表示装置）、ＣＰＵ（Ｂ）（映像出力装置）、ＣＰＵ（Ｃ）（映像出力装置）、およびディスプレイ３００を備えている。ＣＰＵ（Ａ）〜ＣＰＵ（Ｃ）は、別々の装置の制御ブロックであってもよいし、同一の装置の制御ブロックであってもよい。なお、本実施形態では、説明の簡潔のため詳細は省略するが、ＣＰＵ（Ａ）〜ＣＰＵ（Ｃ）における処理は、ＣＰＵ内部の機能ブロック（図１参照）が実行する。
【０１４４】
映像表示システム４では、ＣＰＵ（Ａ）が、ディスプレイ３００に映像信号を出力するとともに、ディスプレイ３００の電源を制御する。ＣＰＵ（Ｂ）およびＣＰＵ（Ｃ）は、ＣＰＵ（Ａ）に映像信号を送信する。ＣＰＵ（Ａ）は、ＣＰＵ（Ｂ）およびＣＰＵ（Ｃ）から受信した映像信号をディスプレイ３００に出力することができる。
【０１４５】
ＣＰＵ（Ａ）は、前記実施形態１および２のテレビ装置１００に対応する。また、ＣＰＵ（Ｂ）およびＣＰＵ（Ｃ）は、それぞれ、前記実施形態１および２のタブレット装置２００に対応する。ただし、ＣＰＵ（Ｂ）およびＣＰＵ（Ｃ）のうち一方がタブレット装置２００に対応しており、もう一方はタッチパネル４００に対するタッチ操作を受け付ける機能を有していなくてもよい。
【０１４６】
［電源オフ処理γの流れ］
図１１を用いて、ＣＰＵ（Ａ）〜ＣＰＵ（Ｃ）によって実行される電源オフ処理γの流れを説明する。図１１は、電源オフ処理γにおけるＣＰＵ（Ａ）〜ＣＰＵ（Ｃ）の動作のシーケンス図である。
【０１４７】
図１１に示すように、ＣＰＵ（Ａ）は、電源オフ操作を受け付けたとき、ＣＰＵ（Ｂ）およびＣＰＵ（Ｃ）に対して、それぞれ、電源オフ操作を受け付けた旨を通知する（ｓｑ２１およびｓｑ２３）。なお、図１１では、ＣＰＵ（Ａ）は、ＣＰＵ（Ｂ）、ＣＰＵ（Ｃ）の順番で通知しているが、この順番は逆であってもよい。いずれの構成であっても、ＣＰＵ（Ｂ）およびＣＰＵ（Ｃ）は、ほぼ同時に、同じ処理（電源オフ処理）を開始する。
【０１４８】
ＣＰＵ（Ａ）からの通知を受けたＣＰＵ（Ｂ）およびＣＰＵ（Ｃ）は、電源オフ処理を実行することが可能である旨の通知とともに、電源オフに要する時間（オフ時間）をＣＰＵ（Ａ）に送信する（ｓｑ２２、ｓｑ２４）。
【０１４９】
ＣＰＵ（Ｂ）およびＣＰＵ（Ｃ）からの通知を受けたＣＰＵ（Ａ）は、ＣＰＵ（Ｂ）およびＣＰＵ（Ｃ）のうち、どちらのＣＰＵのオフ時間が長いかを判定する。次に、ＣＰＵ（Ａ）は、ＣＰＵ（Ａ）のオフ時間と、ＣＰＵ（Ｂ）およびＣＰＵ（Ｃ）のうちで長い方のオフ時間との間で、どちらのＣＰＵのオフ時間が長いかを判定する。
【０１５０】
以降のステップは、前記実施形態１、２の電源オフ処理α、βにおけるステップＳ１０４以降のステップと同じである。ただし、本実施形態では、ＣＰＵ（Ａ）が、前記実施形態１、２のテレビ装置１００に相当し、ＣＰＵ（Ｂ）が、前記実施形態１、２のタブレット装置２００に相当する。ＣＰＵ（Ａ）およびＣＰＵ（Ｂ）は、図２または図６に示すフローに従って、各ステップの処理を実行する。
【０１５１】
ここでは、ＣＰＵ（Ｂ）のオフ時間の方がＣＰＵ（Ｃ）のオフ時間よりも長く、かつ、ＣＰＵ（Ｂ）のオフ時間の方がＣＰＵ（Ａ）のオフ時間よりも長いとする。
【０１５２】
この場合、ＣＰＵ（Ａ）は、以下のように、ＣＰＵ（Ｂ）およびＣＰＵ（Ｃ）の電源オフ処理中に、ＣＰＵ（Ｂ）から受信した映像信号をディスプレイ３００に出力するように制御する。なお、図１１に示すシーケンスは、図５に示す前記実施形態２のシーケンスにおいて、テレビ装置１００をＣＰＵ（Ａ）に、タブレット装置２００をＣＰＵ（Ｂ）にそれぞれ読み代えたシーケンスに等しい。ただし、本実施形態は、ＣＰＵ（Ｂ）（タブレット装置２００に相当）だけでなく、ＣＰＵ（Ｃ）も電源オフ処理を実行する点で、前記実施形態２とは異なる。
【０１５３】
次に、ＣＰＵ（Ａ）は、ＣＰＵ（Ｂ）およびＣＰＵ（Ｃ）に対して、電源オフ処理を実行するように要求する（ｓｑ２５、ｓｑ２７）。
【０１５４】
ＣＰＵ（Ａ）からの要求を受けたＣＰＵ（Ｂ）およびＣＰＵ（Ｃ）は、それぞれ、電源オフ処理を開始するとともに、電源オフ処理中の映像信号を、ＣＰＵ（Ａ）に送信する（ｓｑ２６、ｓｑ２８）。
【０１５５】
ＣＰＵ（Ｂ）およびＣＰＵ（Ｃ）は、それぞれ、電源オフ処理を実行した後、電源オフ処理が完了した旨をＣＰＵ（Ａ）に通知する（ｓｑ２９、ｓｑ３０）。
【０１５６】
ＣＰＵ（Ａ）は、ＣＰＵ（Ｂ）およびＣＰＵ（Ｃ）から、電源オフ処理が完了した旨の通知を受信した後、ディスプレイ３００の電源をオフにするとともに、ＣＰＵ（Ａ）の電源オフ処理を実行する。なお、ＣＰＵ（Ａ）は、前記実施形態２のテレビ装置１００のように、ＣＰＵ（Ｂ）およびＣＰＵ（Ｃ）から、電源オフ処理が完了した旨の通知を受信する前に、ディスプレイ３００への映像出力に関係しない機能を停止しておいてもよい。
【０１５７】
以上で、映像表示システム４の電源オフ処理γは終了する。電源オフ処理γによれば、ディスプレイ３００には、処理に要する時間が最も長いＣＰＵ（Ｂ）が出力する映像が表示される。そのため、ＣＰＵ（Ｂ）およびＣＰＵ（Ｃ）がほぼ同時に処理を開始した場合、ＣＰＵ（Ａ）以外のすべてのＣＰＵ（ＣＰＵ（Ｂ）、ＣＰＵ（Ｃ））が電源オフ処理を完了するまで、ＣＰＵ（Ｂ）が電源オフ処理中に生成する映像を表示することができる。
【０１５８】
なお、ＣＰＵ（Ａ）は、テレビ装置１００のようには、映像信号を生成することはせず、ＣＰＵ（Ｂ）およびＣＰＵ（Ｃ）から入力される映像信号をディスプレイ３００に出力するのみであってもよい。この構成では、ＣＰＵ（Ａ）は、ＣＰＵ（Ｂ）およびＣＰＵ（Ｂ）のオフ時間が、所定の基準よりも長いか否かを判定する。そして、オフ時間が所定の基準よりも長いＣＰＵが存在する場合、そのＣＰＵから入力される映像信号をディスプレイ３００に出力する。なお、ＣＰＵ（Ｂ）およびＣＰＵ（Ｃ）のオフ時間がどちらも所定の基準よりも長い場合、オフ時間が長い方のＣＰＵから入力される映像信号をディスプレイ３００に出力する。
【０１５９】
また、ＣＰＵ（Ａ）およびＣＰＵ（Ｂ）は、図２および図３において、テレビ装置１００およびタブレット装置２００をＣＰＵ（Ａ）およびＣＰＵ（Ｂ）に読み替えた場合の流れで、上述した各処理を実行してもよい。あるいは、ＣＰＵ（Ａ）およびＣＰＵ（Ｂ）は、図５または図６において、テレビ装置１００およびタブレット装置２００をＣＰＵ（Ａ）およびＣＰＵ（Ｂ）に読み替えた場合の流れで、上述した各処理を実行してもよい。
【０１６０】
〔実施形態５〕
テレビ装置１００の制御ブロック（特に映像処理部１０３、テレビ側電源オフ処理部１０５、ディスプレイ電源制御部１０６、およびテレビ側起動処理部）、および、タブレット装置２００の制御ブロック（特に情報処理部２０１、映像出力部２０２、タブレット側電源オフ処理部２０３、およびタブレット側起動処理部）は、集積回路（ＩＣチップ）等に形成された論理回路（ハードウェア）によって実現してもよいし、ＣＰＵ（Central Processing Unit）を用いてソフトウェアによって実現してもよい。
【０１６１】
後者の場合、テレビ装置１００およびタブレット装置２００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１６２】
〔まとめ〕
本発明の態様１に係る映像表示装置（テレビ装置１００、ＣＰＵ（Ａ））は、１つ以上の映像出力装置から出力される映像を表示部（ディスプレイ３００）に表示することが可能な映像表示装置において、上記映像出力装置（タブレット装置２００、ＣＰＵ（Ｂ）、ＣＰＵ（Ｃ））が実行しようとする第１の処理が他の処理によって中断できない期間を有する処理であるか否かを判定する判定部と、上記判定部が、上記第１の処理が他の処理によって中断できない期間を有する処理であると判定した場合、上記映像出力装置から出力される映像を上記表示部に出力する出力部と、を備えている。
【０１６３】
上記の構成によれば、映像出力装置が実行しようとする第１の処理が、他の処理によって中断できない期間を有する処理（例えば、映像出力装置の機能を停止する処理）である場合、該映像出力装置からの映像が表示部に出力される。
【０１６４】
そのため、ユーザは、表示部に表示された映像を確認することによって、映像出力装置が第１の処理を実行していることを理解することができる。なお、映像出力装置から出力される映像は、第１の処理を実行中である旨をユーザに通知するための映像であってよい。この構成では、ユーザは、表示部の表示を確認することによって、映像出力装置が第１の処理（特に、他の処理によって中断できない処理）を実行中であるために、操作を受け付けることができないことを知ることができる。
【０１６５】
本発明の態様２では、上記態様１において、上記判定部（テレビ側電源オフ処理部１０５）は、上記第１の処理が他の処理によって中断できない期間を有する処理であると判定した場合、さらに、上記第１の処理と同じトリガーに基づいて上記映像表示装置（テレビ装置１００、ＣＰＵ（Ａ））が実行しようとする第２の処理に要する時間が、上記第１の処理に要する時間より短いか否かを判定し、上記出力部（映像処理部１０３）は、上記判定部が、上記第２の処理に要する時間が、上記第１の処理に要する時間より短いと判定した場合、上記映像出力装置（タブレット装置２００、ＣＰＵ（Ｂ）、ＣＰＵ（Ｃ））から出力される映像を上記表示部（ディスプレイ３００）に出力してもよい。
【０１６６】
上記の構成によれば、映像出力装置が実行しようとする第１の処理に要する時間が、該第１の処理と同じトリガーに基づいて映像表示装置が実行する第２の処理に要する時間よりも長い場合、該映像出力装置から出力される映像が表示部（ディスプレイ３００）に表示される。
【０１６７】
そのため、ユーザは、表示部の表示を確認することによって、映像出力装置が、映像表示装置が実行する第２の処理よりも時間のかかる第１の処理を実行していることを理解することができる。
【０１６８】
なお、上記の構成において、映像出力装置が実行しようとする第１の処理に要する時間が、該映像出力装置の第１の処理と同じトリガーに基づいて映像表示装置が実行する第２の処理に要する時間よりも短い場合、映像表示装置から出力される映像が表示部に表示されてもよい。
【０１６９】
また、映像出力装置が実行しようとする第１の処理が、該映像出力装置の機能を停止する処理である場合、該第１の処理と同じトリガーに基づいて映像表示装置が実行する第２の処理は、表示部の電源をオフにする処理であってよい。
【０１７０】
本発明の態様３では、上記態様１または２において、複数の上記映像出力装置（タブレット装置２００、ＣＰＵ（Ｂ）、ＣＰＵ（Ｃ））が、それぞれ、ほぼ同時に、同じトリガーに基づく上記第１の処理を実行しようとする場合、上記出力部（映像処理部１０３）は、複数の上記映像出力装置のうち、上記第１の処理に最も長い時間を要する映像出力装置から出力される映像を上記表示部（ディスプレイ３００）に出力してもよい。
【０１７１】
上記の構成によれば、表示部には、第１の処理に要する時間が最も長い映像出力装置が出力する映像が表示される。
【０１７２】
そのため、全ての映像出力装置がほぼ同時に第１の処理を開始した場合、すべての映像出力装置が第１の処理を完了するまで表示を行うことができる。
【０１７３】
本発明の態様４に係る映像表示システム（映像表示システム１、３、４）は、態様１から３のいずれかの映像表示装置（テレビ装置１００、ＣＰＵ（Ａ））と、１つ以上の上記映像出力装置（タブレット装置２００、ＣＰＵ（Ｂ）、ＣＰＵ（Ｃ））と、を備えている。
【０１７４】
上記の構成によれば、上述したいずれかの態様に係る映像表示装置と同じ効果を奏することができる。
【０１７５】
本発明の態様５に係る映像表示システム（映像表示システム１、３、４）は、上記態様４において、上記第１の処理のトリガーは、（ａ）上記映像表示システムの電源をオフまたはオンにするための処理、（ｂ）上記映像表示システムのプログラムを変更するための処理、および、（ｃ）上記映像表示システムが備えた記憶装置を検査するための処理、のうち、少なくともいずれか１つを上記映像表示システムに開始させるイベントであってよい。
【０１７６】
上記の構成によれば、イベントが発生したとき、映像出力装置は、それぞれ、（ａ）上記映像表示システムの電源をオフまたはオンにするための処理、（ｂ）上記映像表示システムのプログラムを更新するための処理、および、（ｃ）上記映像表示システムが備えた記憶装置を検査するための処理のうちのいずれか１つを、第１の処理として実行する。第１の処理を実行している間、映像出力装置は、第１の処理を実行中である旨をユーザに通知するための映像（「お知らせ」映像）を映像表示装置に出力する。映像表示装置は、映像出力装置から出力される映像を表示部に表示することによって、ユーザに対して、映像出力装置が、第１の処理を実行中である旨を提示することができる。
【０１７７】
本発明の各態様に係る映像表示装置（テレビ装置１００）は、コンピュータによって実現してもよく、この場合には、コンピュータを上記映像表示装置が備える各手段として動作させることにより上記映像表示装置をコンピュータにて実現させる映像表示装置の制御プログラム、およびそれを記録したコンピュータ読み取り可能な記録媒体も、本発明の範疇に入る。
【０１７８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１７９】
本発明は、１つ以上の映像出力装置から入力される映像を表示部に出力することが可能な映像表示装置に利用することができる。
【符号の説明】
【０１８０】
１  映像表示システム
３  映像表示システム
４  映像表示システム
１００  テレビ装置（映像表示装置）
１０３  映像処理部（出力部）
１０５  テレビ側電源オフ処理部（判定部）
２００  タブレット装置（映像出力装置）
３００  ディスプレイ（表示部）
ＣＰＵ（Ａ）（映像表示装置）
ＣＰＵ（Ｂ）（Ｃ）（映像出力装置）
【図１】
2015186139.tif 000003
【図２】
2015186139.tif 000004
【図３】
2015186139.tif 000005
【図４】
2015186139.tif 000006
【図５】
2015186139.tif 000007
【図６】
2015186139.tif 000008
【図７】
2015186139.tif 000009
【図８】
2015186139.tif 000010
【図９】
2015186139.tif 000011
【図１０】
2015186139.tif 000012
【図１１】
2015186139.tif 000013
【図１２】
2015186139.tif 000014